(57)【要約】      （修正有）【課題】人の検知に基づき電源供給の切換を確実に行い、消費電力を低減するスイッチング装置を提供する。【解決手段】シートスイッチ１１は、所定の間隙を空けて対向配置された一対のシート部材４，５と、一方のシート部材の対向面に形成され、所定の間隔を空けて配置された第一の電気的配線パターン６ａ及び第二の電気的配線パターン６ｂと、他方のシート部材の対向面に形成され、前記第一の電気的配線パターン及び第二の電気的配線パターンに対し対向配置された第三の電気的配線パターン７とを備え、少なくとも前記シートスイッチの上下面のいずれかが所定の圧力以上で押圧されることにより、前記第三の電気的配線パターンが前記第一の電気的配線パターン及び第二の電気的配線パターンに接触し、前記第一の電気的配線パターンと第二の電気的配線パターンとが導通し、電源スイッチング部３に検出信号が出力される。【選択図】図１
0003159290.tif 000002
【実用新案登録請求の範囲】
【請求項１】
シートスイッチを有するシートセンサ部と、前記シートセンサ部の検出信号に基づき電源供給のオン／オフ切換を行う電源スイッチング部とを備えるスイッチング装置であって、
前記シートスイッチは、
所定の間隙を空けて対向配置された一対のシート部材と、一方のシート部材の対向面に形成され、所定の間隔を空けて配置された第一の電気的配線パターン及び第二の電気的配線パターンと、他方のシート部材の対向面に形成され、前記第一の電気的配線パターン及び第二の電気的配線パターンに対し対向配置された第三の電気的配線パターンとを備え、
少なくとも前記シートスイッチの上下面のいずれかが所定の圧力以上で押圧されることにより、前記第三の電気的配線パターンが前記第一の電気的配線パターン及び第二の電気的配線パターンに接触し、前記第一の電気的配線パターンと第二の電気的配線パターンとが導通し、前記検出信号が前記電源スイッチング部に出力されることを特徴とするスイッチング装置。
【請求項２】
前記シートスイッチにおける一対のシート部材の間には、所定の高さ寸法を有するスペーサが設けられ、
前記スペーサにより前記一対のシート部材間には、少なくとも前記第三の電気的配線パターンの高さ寸法と、前記第一または第二の電気的配線パターンの高さ寸法とを合わせた寸法よりも大きい高さの間隙が形成されていることを特徴とする請求項１に記載されたスイッチング装置。
【請求項３】
前記シート部材は、可撓性樹脂により形成されていることを特徴とする請求項１または請求項２に記載されたスイッチング装置。
【考案の詳細な説明】
【技術分野】
【０００１】
本考案は、シート状のスイッチにより交流電源の供給をオン／オフ制御するスイッチング装置に関する。
【背景技術】
【０００２】
従来、電気機器の多くは、その電源のオン／オフ状態が手動で（例えばリモコンを用いて）切り換えられている。
しかしながら、その操作の煩わしさ、或いは消し忘れにより、例えば、リビングルーム内のテレビ、エアコン等にあっては、人が不在の時にも電源がつけっぱなしという状況が往々にして発生している。そのような電気機器の稼働が不必要な状況における無駄な電力消費量は多大である。
前記問題に対し、特許文献１には、電気機器とコンセントとの間に介され、赤外線センサにより人の動きを検知し、検出信号に連動して電気機器への電源供給を切り換える（オン／オフする）装置が開示されている。
【先行技術文献】
【特許文献】
【０００３】
【特許文献１】特開２００５−８５６２４号公報
【考案の概要】
【考案が解決しようとする課題】
【０００４】
しかしながら、前記赤外線センサによる人の検知は、出入口等での人の動きを検知するのに適するが、動きの無い静体検出を行うのが困難であるという課題があった。このため、例えば人がソファに座って長時間静止している場合、人がいるのも拘わらず電源供給が停止する等の誤作動が生じる虞があった。
更には、赤外線センサ等の人感センサを用いる場合、その装置に掛かるコストが嵩張るという課題があった。
【０００５】
本考案は、前記した点に着目してなされたものであり、シート状のスイッチ機構により電気機器への電源供給のオン／オフ状態を切り換えるスイッチング装置において、使用者の検知に基づき電源供給の切換を確実に行い、消費電力を低減することのできるスイッチング装置を提供することを目的とする。
【課題を解決するための手段】
【０００６】
前記目的を達成するため、本考案に係るスイッチング装置は、シートスイッチを有するシートセンサ部と、前記シートセンサ部の検出信号に基づき電源供給のオン／オフ切換を行う電源スイッチング部とを備えるスイッチング装置であって、前記シートスイッチは、所定の間隙を空けて対向配置された一対のシート部材と、一方のシート部材の対向面に形成され、所定の間隔を空けて配置された第一の電気的配線パターン及び第二の電気的配線パターンと、他方のシート部材の対向面に形成され、前記第一の電気的配線パターン及び第二の電気的配線パターンに対し対向配置された第三の電気的配線パターンとを備え、少なくとも前記シートスイッチの上下面のいずれかが所定の圧力以上で押圧されることにより、前記第三の電気的配線パターンが前記第一の電気的配線パターン及び第二の電気的配線パターンに接触し、前記第一の電気的配線パターンと第二の電気的配線パターンとが導通し、前記検出信号が前記電源スイッチング部に出力されることに特徴を有する。
【０００７】
このように構成されることにより、例えば前記シートスイッチを椅子の座面に敷き、その上に使用者が着座することにより、第一の電気的配線パターンと第二の電気的配線パターンとが導通し、前記検出信号を出力させることができる。
即ち、使用者の着座に連動して、電源スイッチング部において電源供給をオン状態とすることができる。
したがって、所定場所における使用者の検知に基づき電源供給のオン／オフ切換を確実に行うことができ、必要時のみ電気機器を作動するようにすることができるため、消費電力を低減することができる。
【０００８】
また、前記シートスイッチにおける一対のシート部材の間には、所定の高さ寸法を有するスペーサが設けられ、前記スペーサにより前記一対のシート部材間には、少なくとも前記第三の電気的配線パターンの高さ寸法と、前記第一または第二の電気的配線パターンの高さ寸法とを合わせた寸法よりも大きい高さの間隙が形成されていることが望ましい。
このように構成することによって、シートスイッチを押圧しない限りは、第三の電気的配線パターンが前記第一の配線パターン及び第二の電気的配線パターンに接触しないようにすることができ、誤動作を防止することができる。
【０００９】
また、前記シート部材は、可撓性樹脂により形成されていることが望ましい。
このように可撓性樹脂によりシート部材を形成することによって、シートスイッチの押圧によるスイッチング動作を可能とすることができる。
【考案の効果】
【００１０】
本考案によれば、シート状のスイッチ機構により電気機器への電源供給のオン／オフ状態を切り換えるスイッチング装置において、使用者の検知に基づき電源供給の切換を確実に行い、消費電力を低減することのできるスイッチング装置を得ることができる。
【図面の簡単な説明】
【００１１】
【図１】図１は、本考案に係るスイッチング装置の全体の概略構成を示す平面図である。
【図２】図２は、図１のスイッチング装置が備えるシートスイッチの一部拡大平面図である。
【図３】図３は、図２のＡ−Ａ矢視断面図である。
【図４】図４は、図２のＢ−Ｂ矢視断面図である。
【図５】図５は、図１のスイッチング装置が備えるセンサ回路、及び電源スイッチング部の回路構成を示すブロック図である。
【考案を実施するための形態】
【００１２】
以下、本考案の実施の形態を図面に基づき説明する。図１は、本考案に係るスイッチング装置の全体の概略構成を示す平面図である。
図１に示すスイッチング装置１は、着座センサ部２（シートセンサ部）と、この着座センサ部２の出力に基づき電源供給のオン／オフ切換を行う電源スイッチング部３とが電気的に接続されて構成されている。
着座センサ部２は、可撓性を有するシート状のスイッチであるシートスイッチ１１と、シートスイッチ１１のオン／オフ動作により検出信号を出力するセンサ回路１２とを備えている。
【００１３】
図２は、シートスイッチ１１の一部拡大平面図である。このシートスイッチ１１は、図３（図２のＡ−Ａ矢視断面）、及び図４（図２のＢ−Ｂ矢視断面）に示すように、可撓性樹脂シートにより形成された一対の（２枚の）シート部材４，５が上下に所定の間隙を空けて対向配置されている。
尚、本実施形態においては、シートスイッチ１１の内部構造を示すために、シート部材４，５は所定の厚さ寸法を有する透明樹脂により形成されているものとするが、所定の色に着色されている樹脂シートであってもよい。また、図３，図４にあっては、その構造の説明のために、シート部材４，５を互いに引き離した状態で示している。
【００１４】
図面上、下部シートとなるシート部材４の上面（シート部材５に対する対向面）には、図１に示すように例えば銅箔により形成された２つの櫛形の電気的配線パターン６ａ、６ｂ（第一の電気的配線パターン、第二の電気的配線パターン）が互いに電気的に接することなく配置されている。
より詳しくは、図１に示すように配線パターン６ａ、６ｂにおいて櫛形の歯部に相当する側が互いに対向し、それぞれの歯部となる直線状のパターンが１本ずつ交互に所定間隔を空けて並列配置されている。
また、図２，図３に示すように配線パターン６ａ、６ｂの上には、絶縁部材（例えばレジスト部材）からなり、所定の高さ寸法を有する複数のスペーサ８が設けられている。
【００１５】
また、図面上、上部シートとなるシート部材５の下面（シート部材４に対する対向面）には、例えば銅箔により形成された直線状の複数の電気的配線パターン７（第三の電気的配線パターン）が、所定間隔を空けて並列に形成されている。
これら複数の電気的配線パターン７は、それぞれ前記シート部材４に並列配置された配線パターン６ａ、６ｂを複数本（図では４本）纏めて跨ぐように、それら配線パターン６ａ、６ｂに対し直交方向に配置されている。
また、シート部材５の下面において、前記並列配置された複数の配線パターン７の間には、絶縁部材（例えばレジスト部材）からなり、所定の高さ寸法を有する複数のスペーサ９が設けられている。
【００１６】
このようにシート部材４側に複数のスペーサ８が設けられ、更にシート部材５における対向面に複数のスペーサ９が設けられることにより、シート部材４，５間には所定の間隙Ｓが形成される。この間隙Ｓの高さ寸法は、少なくとも配線パターン７の高さ寸法と配線パターン６ａ（６ｂ）の高さ寸法を合わせた寸法よりも大きくなるようにスペーサ８，９の高さが形成されている。
この間隙Ｓにより、少なくともシートスイッチ１１（シート部材４，５）の上下面のいずれかを所定の圧力以上で押圧しない限り、シート部材４上の配線パターン６ａ、６ｂにシート部材５の配線パターン７が接触しない構造となされている。
また、シートスイッチ１１（シート部材４，５）の上下面側のいずれか、或いは両面側が所定の圧力以上で押圧された場合には、配線パターン６ａ、６ｂに対し配線パターン７が接触し、配線パターン７を介して配線パターン６ａと配線パターン６ｂとが導通するようになされている。
【００１７】
また、着座センサ部２のセンサ回路１２には、図５に示すように、シートスイッチ１１の配線パターン６ａに電気的に接続された線路１５と、配線パターン６ｂに電気的に接続された線路１６とが、それぞれ入力信号線として配される。
線路１５，１６はフォトカプラ１７に入力され、線路１５，１６が互いに電気的に接続された状態となると、ＬＥＤ素子１８が発光し、受光素子であるフォトトランジスタ１９に電流が検出信号として流れるようになされている。
【００１８】
また、図５に示すように、電源スイッチング部３は、１００Ｖの交流電源の入力端子となる差込プラグ２０と、１００Ｖの交流電源を電気機器に供給するための電源コンセント２１とを備えている。
電源コンセント２１に接続される電気機器を使用する際には、差込プラグ２０から供給される交流電圧が電源コンセント２１に供給される構成となされるが、その供給の切換はリレースイッチ２２のスイッチング動作により行われる。また、リレースイッチ２２のスイッチング動作は制御回路２３により制御される。
【００１９】
具体的に説明すると、前記リレースイッチ２２は、駆動コイル２２ａとリレー素子２２ｂとにより構成され、駆動コイル２２ａに電流が流れることにより、リレー素子２２ｂのリレー接点がオン状態となる。
ここで、差込プラグ２０と電源コンセント２１との一方の電極は相互に接続されており、リレー素子２２ｂのリレー接点がオン状態になると、他方の電極同士が過電流を防止するための電流センサ２４を介して電気的に接続される。これにより、差込プラグ２０から供給される交流電圧が電源コンセント２１に供給されるようになされている。
【００２０】
また、前記リレースイッチ２２のスイッチング動作を制御する制御回路２３は、センサ回路１２の検出信号によりリレースイッチ２２の駆動コイル２２ａに電流を流すための低電源（５Ｖ）の直流回路である。
この制御回路２３は、減電圧回路３０により１００Ｖの交流電源を減圧し、整流器３１により直流変換し、５Ｖ安定化回路３２により電圧を安定化させている。
かかる構成により、着座センサ部２のセンサ回路１２においてフォトカプラ１７のフォトトランジスタ１９に電流が流れると、リレースイッチ２２の駆動コイル２２ａに電流が流れ、リレー端子２２ｂがオン状態となるようになされている。
したがって、シートスイッチ１１において配線パターン６ａと配線パターン６ｂとが導通すると、リレースイッチ２２がオン状態となり、差込プラグ２０から電源コンセント２１に交流電圧が供給され、電源コンセント２１に接続された電気機器が利用可能な状態となる。
【００２１】
以上のように構成されたスイッチング装置１によれば、例えば、着座センサ部２のシートスイッチ１１を椅子の着座部に配置し、そこに電気機器の使用者が着座すると、シートスイッチ１１の上下面が所定の圧力以上で押圧される。
これにより、配線パターン６ａ、６ｂに対し配線パターン７が接触し、配線パターン７を介して配線パターン６ａと配線パターン６ｂとが導通し、電源スイッチング部３において入力された交流電圧を電源コンセント２１に供給することができる。
即ち、使用者の着座に連動して電源コンセント２１に接続された電気機器の作動と停止とを切り換えることができる。
したがって、所定場所における使用者の検知に基づき電源供給のオン／オフ切換を確実に行うことができ、必要時のみ電気機器を作動するようにすることができるため、消費電力を低減することができる。
【００２２】
尚、前記実施の形態においては、シートスイッチ１１を使用者の着座に連動して使用する例を示したが、それに限定されるものではなく、例えば、シートスイッチ１１を使用者が踏むことにより押圧し、スイッチング動作を行うようにしてもよい。
【符号の説明】
【００２３】
１          スイッチング装置
２          着座センサ部（シートセンサ部）
３          電源スイッチング部
４          シート部材
５          シート部材
６ａ        電気的配線パターン（第一の電気的配線パターン）
６ｂ        電気的配線パターン（第二の電気的配線パターン）
７          電気的配線パターン（第三の電気的配線パターン）
８          スペーサ
９          スペーサ
１１        シートスイッチ
１２        センサ回路
２０        差込プラグ
２１        電源コンセント
【図１】
0003159290.tif 000003
【図２】
0003159290.tif 000004
【図３】
0003159290.tif 000005
【図４】
0003159290.tif 000006
【図５】
0003159290.tif 000007